(57)【要約】      （修正有）【課題】簡易な構成でありながら、取り出された寿司ねたがそのまま寿司飯の上に載せられるだけで、普通のにぎり寿司のような状態にできるようにする寿司ねた収納容器を提供する。【解決手段】枠体における外周部分の縁部にＲ２でなるＲ状の折返部分が成型された所定幅のフラップ３０Ａと、複数のねた用ホール３２Ａ〜３２Ｈの間に、その先端の幅が３ｍｍのＲ状の断面山型に成型され、先端がフラップ３０Ａと同じ高さに成型され、ねた用ホール３２Ａ〜３２Ｈの底面と繋がる裾部分がＲ８のＲ面取状態に成型され、ねた用ホール３２Ａ〜３２Ｈの垂直方向に対する傾斜角度が１０度になるように成型された仕切部４０とを備える。フラップ３０Ａは、枠体の長手方向に沿ってリブ３６，３７が設けられている。【選択図】図１
0003169684.tif 000002
【実用新案登録請求の範囲】
【請求項１】
複数個の寿司ねたを個別に収納するための複数のねた用収納凹部が枠体に設けられた寿司ねた収納容器であって、
前記枠体における外周部分の縁部にＲ２でなるＲ状の折返部分が成型された所定幅のフラップと、
前記複数のねた用収納凹部の間には、前記複数個の寿司ねたを互いに非接触状態とするためであり、かつ、前記複数のねた用収納凹部における側壁として機能するため、その先端の幅が３ｍｍのＲ状の断面山型に成型され、前記先端が前記フラップと同じ高さに成型され、前記ねた用収納凹部の底面と繋がる裾部分がＲ８のＲ面取状態に成型され、前記ねた用収納凹部の垂直方向に対する傾斜角度が１０度になるように成型された仕切部と
を備え、
前記フラップは、前記枠体の長手方向に沿って所定幅及び所定深さでなるＵ字状の溝が設けられていることを特徴とする寿司ねた収納容器。
【考案の詳細な説明】
【技術分野】
【０００１】
本考案は、寿司ねた収納容器に関し、特に、冷凍保存した状態で流通し、寿司飯の上に解凍後の寿司ねたが載せられた状態の握り寿司として提供するためのパッケージに関するものである。
【背景技術】
【０００２】
従来、冷凍寿司の寿司飯部を人肌に、ねた部を冷たく解凍できると共に、解凍した寿司を容器の一部を利用してそのまま食卓に供することが可能な冷凍寿司収納容器が提案されている（例えば、特許文献１参照）。
【０００３】
また、複数個の食品として寿司を高周波加熱により解凍および加熱する場合、煮えがなく複数個の寿司がほぼ均一に加熱されるようにした解凍用容器が提案されている（例えば、特許文献２参照）。
【先行技術文献】
【特許文献】
【０００４】
【特許文献１】特開２００４−１３６９７５号公報
【特許文献２】特開平５−１２６３４３号公報
【考案の概要】
【考案が解決しようとする課題】
【０００５】
しかしながら、上述した特許文献１に記載の冷凍寿司収納容器においては、寿司飯部にマイクロ波を進入可能として寿司飯部を人肌に、ねた部を冷たく解凍できるようにしているものの、底蓋部に対して、マイクロ波遮断膜が形成された収納容器本体を被せなければならない複雑な構成になるという問題があった。
【０００６】
また、上述した特許文献２に記載の解凍用容器においては、複数個の寿司を互いに非接触状態で収納するための仕切りと、上面開口部に向かって拡がるように傾斜し、かつ段部を有する外側壁と、仕切りで仕切られた食品収納部と、当該食品収納部の底面に設けられた凹部とからなり、仕切りの高さおよび段部の位置が寿司の高さの１／３ないし２／３としたことにより、寿司が煮えることなくほぼ均一な温度に解凍できるようになされているものの、食品収納部が複雑な構造になると共に、寿司めしと寿司ねたとがほぼ均一な温度になってしまい、通常の握り寿司に比べて食味が大幅に劣るという問題があった。
【０００７】
本考案は、以上のような問題点を解消するためになされたものであり、簡易な構成でありながら、取り出された寿司ねたがそのまま寿司飯の上に載せられるだけで、普通の握り寿司の風合いを持つお寿司を提供することが可能な寿司ねた収納容器を提案しようとするものである。
【課題を解決するための手段】
【０００８】
本考案においては、複数個の寿司ねたを個別に収納するための複数のねた用収納凹部が枠体に設けられた寿司ねた収納容器であって、枠体における外周部分の縁部にＲ２でなるＲ状の折返部分が成型された所定幅のフラップと、複数のねた用収納凹部の間には、複数個の寿司ねたを互いに非接触状態とするためであり、かつ、複数のねた用収納凹部における側壁として機能するため、その先端の幅が３ｍｍのＲ状の断面山型に成型され、先端がフラップと同じ高さに成型され、ねた用収納凹部の底面と繋がる裾部分がＲ８のＲ面取状態に成型され、ねた用収納凹部の垂直方向に対する傾斜角度が１０度になるように成型された仕切部とを備え、フラップは、枠体の長手方向に沿って所定幅及び所定深さでなるＵ字状の溝が設けられているようにする。
【考案の効果】
【０００９】
本考案によれば、枠体における外周部分の縁部にＲ２でなるＲ状の折返部分が成型された所定幅のフラップに対し、枠体の長手方向に沿って設けられた所定幅及び所定深さでなるＵ字状の溝により、真空時のねじれ方向の強度が増大され、複数のねた用収納凹部の間に成型された側壁として機能する仕切部により複数個の寿司ねたを互いに非接触状態とすることができると共に、仕切部の先端の幅が３ｍｍのＲ状の断面山型に成型され、先端がフラップと同じ高さに成型され、ねた用収納凹部の底面と繋がる裾部分がＲ８のＲ面取状態に成型され、ねた用収納凹部の垂直方向に対する傾斜角度が１０度になるように成型されているため、水解凍後に寿司ねた自身がＲ形状に曲げられた状態のまま取り出され、寿司飯の上に載せられると、あたかも握り寿司のような風合いを出すことができ、かくして簡易な構成でありながら、取り出された寿司ねたがそのまま寿司飯の上に載せられるだけで、普通の握り寿司の風合いを持つお寿司を提供することが可能な寿司ねた収納容器を実現することができる。
【図面の簡単な説明】
【００１０】
【図１】本考案の実施の形態における寿司ねた収納トレーの構成を示す上面図、側面図及び断面図である。
【考案を実施するための形態】
【００１１】
以下、本考案の実施の形態について図を参照して説明する。
【００１２】
（１）寿司ねた収納トレーの構成
図１（Ａ）〜（Ｃ）において、３０は本発明の実施の形態における寿司ねた収納トレーを示し、全幅１０６．５ｍｍ、全長２８５．４ｍｍ及び全高１２ｍｍの全体として略直方体状の枠体でなり、その外周部分の縁部に所定幅（例えば長手方向の幅９ｍｍ、短手方向の幅９ｍｍ）のフラップ３０Ａが成型されており、当該フラップ３０Ａをユーザが把持し得るようになされている。
【００１３】
なお、フラップ３０Ａでは、折り曲げられた状態の角部にＲ状（この場合、Ｒ２）の折返部分が成型されており、これにより、握り寿司に用いられる寿司ねたを収納した後に真空状態としたときピンホールが発生することを未然に防止し得ると共に、折返部分によりフラップ３０Ａ自体の強度を増大させ得るようになされている。
【００１４】
また寿司ねた収納トレー３０は、寿司ねた（例えば、鮪、海老、蛸、烏賊、平目、鮭、貝、鯛等）をそれぞれ１個づつ収納するねた用収納凹部としての８個のねた用ホール３２Ａ〜３２Ｈが横一列に並べられた構成を有している。ここで、寿司ねた収納トレー３０のねた用ホール３２Ａ〜３２Ｈは、全て同じ形状およびサイズとなっている。
【００１５】
例えばねた用ホール３２Ａ〜３２Ｈは、寿司ねたの面積とほぼ同じ大きさか、それより僅かに大きなサイズの底面３１を有しており、その底面３１は例えば幅３０．３ｍｍ、長さ７６．５ｍｍとなっている。
【００１６】
また、ねた用ホール３２Ａ〜３２Ｈは、寿司ねたの厚さよりも深く設定された深さ１２ｍｍを有しており、底面３１から上方開放へ向かって僅かに拡大されるような開口部３３を有する断面凹形状に成型されている。このねた用ホール３２Ａ〜３２Ｈの開口部３３は、例えば幅３０．３ｍｍ、長さ８４．５ｍｍとなっている。
【００１７】
ねた用ホール３２Ａ〜３２Ｈの間の境界部分には、その先端部分がＲ１．５のＲ状とされた断面山型でなり、当該先端部分の幅３ｍｍ、高さ１２ｍｍでなる仕切部４０がそれぞれ成型されており、当該仕切部４０が寿司ねたを収納したときの側壁として機能するようになされている。なお、ねた用ホール３２Ａ〜３２Ｈでは、仕切部４０の高さ１２ｍｍがねた用ホール３２Ａ〜３２Ｈ自体の深さ（１２ｍｍ）と等しくなっている。
【００１８】
従って寿司ねた収納トレー３０は、底面３１からフラップ３０Ａまでの高さ１２ｍｍと、仕切部４０の高さ１２ｍｍとが同じであるため、フラップ３０Ａ及び仕切部４０の上から透明な可撓性フィルム（図示せず）が貼られて真空状態とされる際、可撓性フィルムがねた用ホール３２Ａ〜３２Ｈの蓋となる。これにより寿司ねた収納トレー３０は、蓋として機能する可撓性フィルムにより、隣接する寿司ねた同士が接触することを未然に防止し得ると共に、空気抜き時の真空率を増大させ得るようになされている。
【００１９】
なお、寿司ねた収納トレー３０の仕切部４０は、ねた用ホール３２Ａ〜３２Ｈの底面３１とそれぞれ繋がる全ての裾部分がＲ８のＲ面取状態に成型されている。これにより、ねた用ホール３２Ａ〜３２Ｈでは、全ての裾部分がＲ面取状態に成型されているため、寿司ねた収納トレー３０が逆様にされたとき水解凍後の寿司ねたが下方へ落ち易く、容易に取り出し得るようになされている。
【００２０】
また、このとき寿司ねた収納トレー３０は、ねた用ホール３２Ａ〜３２Ｈの全ての裾部分がＲ面取状態に成型されていることにより、真空時に寿司ねた自身がＲ状に湾曲されたまま冷凍され、水解凍後にねた用ホール３２Ａ〜３２Ｈから取り出された寿司ねたもＲ状に湾曲されたままの状態となる。従って、寿司ねた収納トレー３０から取り出された寿司ねたが所定の寿司飯収納トレーから取り出された寿司飯の上に載せられた際、普通の握り寿司のような風合いが出るようになされている。
【００２１】
また仕切部４０のねた用ホール３２Ａ〜３２Ｈでは、その底面３１の角部がＲ面取状態に成型されていない場合、水解凍後に寿司ねたを取り出す際、寿司ねたが角部に引っ掛かって取り出せない事態が起こり得るが、ねた用ホール３２Ａ〜３２Ｈの底面３１と仕切部４０との全ての裾部分がＲ面取状態に成型されていることにより、そのような事態を未然に防止し得る機能をも併せ持つようになされている。
【００２２】
また、ねた用ホール３２Ａ〜３２Ｈの側壁として機能する仕切部４０は、垂直方向に対して９〜１１度（より好ましくは１０度）の傾斜角度が設けられており、その傾斜角度についても、水解凍後の寿司ねたが側壁として機能する仕切部４０に付着することなく容易に取り出し得る要因となっている。
【００２３】
さらに、ねた用ホール３２Ａ〜３２Ｈにおいて仕切部４０と直交する寿司ねた収納トレー３０の枠体の側壁部分３５についても、垂直方向に対して９〜１１度（より好ましくは１０度）の傾斜角度が設けられており、その傾斜角度についても、水解凍後の寿司ねたが側壁部分３５に付着することなく容易に取り出し得る要因となっている。
【００２４】
さらに寿司ねた収納トレー３０においては、フラップ３０Ａの長手方向に沿って、幅４ｍｍ、長さ２６３．４ｍｍおよび深さ２ｍｍでなる断面Ｕ字状溝でなるリブ３６、３７が成型されており、当該リブ３６、３７により、寿司ねた収納トレー３０に対する真空時のねじり方向の強度を増大させ得るようになされている。
【００２５】
これにより寿司ねた収納トレー３０は、水解凍後においても、ねた用ホール３２Ａ〜３２Ｈの寿司ねたを取り出す際、リブ３６、３７によりトレー自体の強度が増大されているので、寿司ねた収納トレー３０が途中で折り曲がってしまうような事態を未然に回避し得るようになされている。
【００２６】
（２）動作及び効果
以上の構成において、このような寿司ねた収納トレー３０では、ねた用ホール３２Ａ〜３２Ｈに対してそれぞれ寿司ねたが収納された後、透明な可撓性フィルムで蓋をし、真空処理しながら熱融着することにより封口し、所定の方法で冷凍保存するようになされている。これにより寿司ねた収納トレー３０は、ねた用ホール３２Ａ〜３２Ｈに収納された寿司ねたの鮮度を保持しながら保存期間を長期化させることができる。
【００２７】
そして寿司ねた収納トレー３０においては、水だけを用いて解凍する所謂、水解凍するようになされており、これにより寿司ねたが適度な温度で取り出され、これらが所定の寿司飯収納トレーから取り出された寿司飯の上に載せられるだけで、簡単に握り寿司の風合いを持つお寿司が作られる。
【００２８】
このとき寿司ねた収納トレー３０では、ねた用ホール３２Ａ〜３２Ｈから寿司ねたが取り出される場合、寿司ねた収納トレー３０における縁部３０Ａが把持された際に寿司ねたの重み等によりトレー自体が折れかねないが、フラップ３０Ａの長手方向に沿って成型された断面半円形状のリブ３６、３７により強度が増大されているため、トレー自体の損傷を防止することができる。
【００２９】
以上の構成によれば、寿司ねた収納トレー３０は簡易な構成のねた用ホール３２Ａ〜３２Ｈでありながら、取り出された寿司ねたがそのまま寿司飯の上に載せられるだけで、普通の握り寿司のような状態になるような形状の寿司ねたを当該ねた用ホール３２Ａ〜３２Ｈから容易に取り出すことができる。
【００３０】
（３）他の実施の形態
なお上述の実施の形態においては、寿司ねたをそれぞれ１個づつ収納するための８個のねた用ホール３２Ａ〜３２Ｈが横一列に並べられた構成の寿司ねた収納トレー３０を用いるようにした場合について述べたが、本発明はこれに限らず、複数個のねた用ホール３２Ａ〜３２ｎが複数列設けられた寿司ねた収納トレーを用いるようにしても良い。
【００３１】
また上述の実施の形態においては、寿司ねた収納トレー３０におけるフラップ３０Ａの長手方向に沿って幅４ｍｍ、長さ２６３．４ｍｍおよび深さ２ｍｍでなる断面Ｕ字状溝でなるリブ３６、３７が成型されるようにした場合について述べたが、寿司ねた収納トレー３０のねじれ方向の強度を増大できれば、そのサイズや形状、及び個数はこれに限るものではない。
【００３２】
さらに上述の実施の形態においては、種々の寸法で規定された寿司ねた収納トレー３０を用いるようにした場合について述べたが、本発明はこれに限らず、寿司ねた収納トレー３０と相似形であれば、寿司飯や寿司ねたのサイズに合わせてその他種々の寸法で規定された寿司ねた収納トレーを用いるようにしても良い。
【符号の説明】
【００３３】
３０……寿司ねた収納トレー、３１……底面、３２Ａ〜３２Ｈ……ねた用ホール３２Ａ〜３２、３５……側壁部分、４０……仕切部、３６，３７……リブ。
【図１】
0003169684.tif 000003